(57)【特許請求の範囲】
【請求項１】
吸収体を含む吸収性本体と、この吸収性本体の外面側に一体的に設けられた外装シートとを備え、製品状態で前記外装シートにおける前身頃と後身頃とが、その両側端の接合端部において接合されることによりウエスト開口部及び左右一対のレッグ開口部が形成されたパンツ型使い捨ておむつにおいて、
前記外装シートは、前身頃及び後身頃において一方の接合端部から他方の接合端部に亘り、上下方向に間隔をおいて互いに略平行に配設された複数の腰周り弾性部材からなる腰周り弾性帯と、前身頃及び後身頃において一方の接合端部から股下部側に延び、その股下部を迂回するようにして他方の接合端部に亘るように配設された複数の湾曲弾性部材からなる湾曲弾性帯とを備え、
前記外装シートの縁部である脚周りカットラインと、前記吸収性本体と、前身頃側の前記腰周り弾性帯とに囲まれる前身頃側の略三角形領域において、前記湾曲弾性帯の領域が占める面積率が７０％以上であり、
前記外装シートの縁部である脚周りカットラインと、前記吸収性本体と、後身頃の前記腰周り弾性帯とに囲まれる後身頃側の略三角形領域において、前記湾曲弾性帯の領域が占める面積率が５０％以上であり、
前記外装シートの肌当接面側であって、かつ前記前身頃側の略三角形領域及び前記後身頃側の略三角形領域との領域に滑剤を塗布したことを特徴とするパンツ型使い捨ておむつ。
【請求項２】
前記滑剤として、フッ素系樹脂又はワックスを用いてある請求項１記載のパンツ型使い捨ておむつ。
【発明の詳細な説明】
【技術分野】
【０００１】
本発明は、特に穿き易さを向上させたパンツ型使い捨ておむつに関する。
【背景技術】
【０００２】
従来より、図１０に示されるようなパンツ型紙おむつが知られている。この使い捨て紙おむつは、透液性トップシート５２と、ポリエチレン等からなる防水フィルム５３と、これら両シート間に介在された吸収体５４とからなる紙おむつ本体５０の外面側に本体バックシート５１を設けた構造のものである。
【０００３】
前記本体バックシート５１は、表面バックシート５５と裏面バックシート５６との二層構造となっており、これら両シート間５５，５６には、紙おむつの腰部開口部を封止する腰周り弾性部材５７…，５８…が配設されるとともに、腹部および背部のそれぞれに対してずり落ちを防止するとともに、フィット性を確保するために腹側胴周り弾性部材５９、…および背側胴周り弾性部材６０，…、並びに脚周りを封止する脚周り第１弾性部材６１，…と脚周り第２弾性部材６２、…とが設けられている（下記特許文献１等参照）。
【０００４】
また、図１１に示すように、おむつ本体６０の前身頃側と後身頃側のそれぞれにおいて、左右方向に沿って複数の弾性伸縮部材６１、６１…を配設するとともに、ウエスト開口部側から股下部側に向かうにつれて、その弾性伸縮部材がウエスト開口部側から股下部側に凸状に湾曲するように配されているパンツ型使い捨ておむつが知られている（例えば、特許文献２参照）。
【特許文献１】特開平１０−１２７６８７号公報
【特許文献２】特開２００１−２０４７６２号公報
【発明の開示】
【発明が解決しようとする課題】
【０００５】
しかしながら、上記特許文献１、２の場合、このようなパンツ型使い捨ておむつを脱ぎ穿きする際に、レッグ開口部に足を通す際、足指や踵が引っ掛かってしまうことがあり、着用の際の妨げになることがあるという問題があった。
【０００６】
また、特に前記特許文献１の場合、脚周り弾性部材６１，６２はレッグ開口部を形成するおむつ本体５０の縁部に沿うように配設されているので、脚周り弾性部材６１，６２の収縮力により、レッグ開口部をおむつの着用者にフィットさせることができるが、脚周り弾性部材６１，６２と胴周り弾性部材５９…，６０…と吸収体５４とに囲まれた、トップシートとバックシートからなる外装シートにおける領域（略三角形領域Ｔｒという。）は、その周囲が脚周り弾性部材６１，６２と胴周り弾性部材５９…，６０…とにより収縮されることにより、製品状態においてその略三角形領域Ｔｒの内側が膨らんだ形状を帯びてしまい、おむつの内側にポケット様の空間が形成されてしまうこととなる。パンツ型使い捨ておむつを脱ぎ穿きする際に、このポケット様の空間に足指や踵が引っ掛かってしまうことがあり、着用の際の妨げになることがあるという問題もあった。
【０００７】
また、パンツ型使い捨ておむつ（紙おむつ）の着用者は、高齢であることや、疾病や障害などの影響により体力が低下するなどし、腕力が弱かったり、腕が背中側や臀部側に十分にまわらなかったりする場合がある。
【０００８】
そして、そのような着用者が紙おむつを使用する際に、紙おむつの前身頃側や脇部側を掴んで引き上げるようにして腰周りに着用しなければならないことがあるが、従来の紙おむつの場合、図１２に示すように、紙おむつの後身頃のウエスト部が臀部の膨らみに引っ掛かり、十分に引き上げられず、紙おむつが不完全な状態で着用されてしまうことがあった。そして、紙おむつの着用が不完全な状態であり、腰周りにフィットしていないことによって、尿などの体液漏れの原因となってしまうことがあった。
【０００９】
本発明の目的は、穿き易く好適に着用することができるパンツ型使い捨ておむつを提供することである。
【課題を解決するための手段】
【００１０】
前記課題を解決するために請求項１に係る本発明として、吸収体を含む吸収性本体と、この吸収性本体の外面側に一体的に設けられた外装シートとを備え、製品状態で前記外装シートにおける前身頃と後身頃とが、その両側端の接合端部において接合されることによりウエスト開口部及び左右一対のレッグ開口部が形成されたパンツ型使い捨ておむつにおいて、
前記外装シートは、前身頃及び後身頃において一方の接合端部から他方の接合端部に亘り、上下方向に間隔をおいて互いに略平行に配設された複数の腰周り弾性部材からなる腰周り弾性帯と、前身頃及び後身頃において一方の接合端部から股下部側に延び、その股下部を迂回するようにして他方の接合端部に亘るように配設された複数の湾曲弾性部材からなる湾曲弾性帯とを備え、
前記外装シートの縁部である脚周りカットラインと、前記吸収性本体と、前身頃側の前記腰周り弾性帯とに囲まれる前身頃側の略三角形領域において、前記湾曲弾性帯の領域が占める面積率が７０％以上であり、
前記外装シートの縁部である脚周りカットラインと、前記吸収性本体と、後身頃の前記腰周り弾性帯とに囲まれる後身頃側の略三角形領域において、前記湾曲弾性帯の領域が占める面積率が５０％以上であり、
前記外装シートの肌当接面側であって、かつ前記前身頃側の略三角形領域及び前記後身頃側の略三角形領域との領域に滑剤を塗布したことを特徴とするパンツ型使い捨ておむつが提供される。
【００１１】
上記請求項１記載の本発明においては、前記外装シートの肌当接面側であってかつ外装シートの縁部である脚周りカットラインと、吸収性本体と、前身頃腰周り弾性帯とに囲まれる略三角形領域及び外装シートの縁部である脚周りカットラインと、吸収性本体と、後身頃腰周り弾性帯とに囲まれる略三角形領域との領域に滑剤を塗布するものである。従って、紙おむつを装着するにあたり、レッグ開口部に足を通す際、足がレッグ開口部周りの外装シートに接触しても滑剤が塗布されていることにより、引掛かることがなく滑るように足を通すことができ、紙おむつが穿き易くなる。また、内股部分が擦れて発赤するのを防止又は低減することができる。
【００１２】
上記発明においては、パンツ型使い捨ておむつの外装シートは、前記前身頃及び後身頃において一方の接合端部から前記股下部側に延び、その股下部を迂回するようにして他方の接合端部に亘るように配設された複数の湾曲弾性部材からなる湾曲弾性帯とを備え、
前記外装シートの縁部である脚周りカットラインと、前記吸収性本体と、前身頃側の前記腰周り弾性帯とに囲まれる前身頃側の略三角形領域において、前記湾曲弾性帯の領域が占める面積率が７０％以上であり、
前記外装シートの縁部である脚周りカットラインと、前記吸収性本体と、後身頃の前記腰周り弾性帯とに囲まれる後身頃側の略三角形領域において、前記湾曲弾性帯の領域が占める面積率が５０％以上である。
【００１３】
前記湾曲弾性帯は、外装シートの縁部と吸収性本体と腰周り弾性帯とに囲まれる、外装シートの領域全体をほぼ覆うように形成されているので、その外装シートの領域全体が、ほぼ均一に湾曲弾性帯により収縮されることとなり、従来のようにその領域の内側が膨らんでしまい、ポケット様の空間が形成されてしまうことはない。このように、パンツ型使い捨ておむつ（外装シート）の内側に着用の妨げになるポケット様の空間が無ければ、着用者がパンツ型使い捨ておむつを脱ぎ穿きする際に、その内側に足指や踵が引っ掛かりにくくなるので、パンツ型使い捨ておむつを着用しやすくなる。
【００１４】
また、パンツ型使い捨ておむつは、湾曲弾性帯（湾曲弾性部材）とは別に、身体の腰周りにあたる前身頃及び後身頃に腰周り弾性帯（腰周り弾性部材）を備えているので、パンツ型使い捨ておむつを腰周りに安定して装着することができ、パンツ型使い捨ておむつがずり落ちにくくなる。よって、パンツ型使い捨ておむつを好適に着用することができる。
【００１５】
この場合、湾曲弾性帯は後身頃に備えられている場合には、例えば、おむつの着用者が片手で前身頃を掴んでパンツ型使い捨ておむつを引き上げるような場合でも、前身頃に作用した作用力が接合端部を介して後身頃の湾曲弾性帯に伝わり、後身頃が好適に臀部を覆うように引き上げることができ、パンツ型使い捨ておむつを腰周りに良好に着用することができる。つまり、湾曲弾性帯は股下部側に迂回するように湾曲しているため、後身頃の湾曲弾性帯に伝わった作用力は、パンツ型使い捨ておむつの後身頃を下側から引き上げるように作用するので、このパンツ型使い捨ておむつの着用者が、腕力が弱かったり、腕が背中側や臀部側に十分にまわらなかったりする状態であっても、掴みやすいパンツ型使い捨ておむつの前身頃側を掴んで引き上げるようにすることによって、後身頃が臀部を覆うように引き上げることができ、パンツ型使い捨ておむつを好適に着用することができる。
【００１６】
また、前記湾曲弾性帯が、前身頃及び前記後身頃に備えられているため、パンツ型使い捨ておむつ（外装シート）の内側における着用の妨げになるポケット様の空間が前身頃と後身頃から共に無くなる。よって、着用者がパンツ型使い捨ておむつを脱ぎ穿きする際に、その内側に足指や踵が引っ掛かりにくくなるので、パンツ型使い捨ておむつをより着用しやすくなる。前記湾曲弾性帯は股下部側に迂回するように湾曲しているため、パンツ型使い捨ておむつを引き上げる作用力が湾曲弾性帯に伝わると、パンツ型使い捨ておむつを下側から持ち上げるように作用するので、このパンツ型使い捨ておむつの着用者が、腕力が弱かったり、腕が背中側や臀部側に十分にまわらなかったりする状態であっても、掴みやすいパンツ型使い捨ておむつの前身頃側を掴んで引き上げるようにすることによって、パンツ型使い捨ておむつを腰周りにフィットするように引き上げることができパンツ型使い捨ておむつを好適に着用することができる。
【００１７】
請求項２に係る本発明として、前記滑剤として、フッ素系樹脂又はワックスを用いてある請求項１記載のパンツ型使い捨ておむつが提供される。滑剤としては、例えばフッ素系樹脂またはワックスなどを好適に用いることができる。
【発明の効果】
【００１８】
以上詳説のとおり本発明によれば、穿き易く好適に着用することができるパンツ型使い捨ておむつが得られる。
【発明を実施するための最良の形態】
【００１９】
以下、本発明の実施の形態を図１から図７に基づいて説明する。
【００２０】
図１は本発明に係るパンツ型使い捨ておむつの製品状態外観図であり、図２は展開状態での組み立て図であり、図３は外装シートの展開図である。図６はパンツ型使い捨ておむつに備えられる吸収性本体の平面図であり、図７は図３のV−V線における断面図である。
【００２１】
図１〜図７に示すように、パンツ型使い捨ておむつ１（以下、紙おむつ１）は、吸収体１３を含む吸収性本体１０と、この吸収性本体１０の外面側に一体的に設けられた外装シート２０と、を備え、製品状態で外装シート２０における股下部２０ｃの前端側の前身頃Ｆと、その股下部２０ｃの後端側の後身頃Ｂとが、その両側端の接合端部（２１、２２）において接合されることにより、着用者の腰周りに位置するウエスト開口部Ｗと、着用者の脚が通される左右一対のレッグ開口部Ｌが形成されるようになっている。
【００２２】
この紙おむつ１は、図２に示すように、外装シート２０の上面側であり紙おむつ着用時の身体側に、吸収性本体１０の外面側がホットメルト等の接着剤によって接着されて、吸収性本体１０と外装シート２０が一体化される。そして、外装シート２０の股下部２０ｃを吸収性本体１０とともに折り曲げるようにして外装シート２０の前身頃Ｆと後身頃Ｂを折り重ね、接合端部２１と接合端部２２を左右同士で熱溶着またはホットメルト接着剤、超音波などによって接合することにより、図１に示す、紙おむつ１に組み立てられる。
【００２３】
（吸収性本体）
吸収性本体１０は、図６、図７に示すように、不織布などからなる透液性表面シート１１と、ポリエチレン等からなる防漏シート１２との間に、綿状パルプや高吸水性樹脂などからなる吸収体１３を介在させた構造を有しており、体液を吸収保持するものである。
【００２４】
また、吸収性本体１０は、吸収性本体１０の側縁部をその長手方向に沿う、左右一対の立体ギャザーＢＳを有している。
【００２５】
吸収体１３は、例えば、平面視略砂時計形状を有するように成形されており、その幅寸法は着用者の身体に当たる際にゴワ付き感を与えないサイズとなっている。
【００２６】
また、吸収体１３は、形状保持と透液性表面シート１１を透過した体液の拡散性の向上のためにクレープ紙１４によって囲繞されている。また、クレープ紙１４と透液性表面シート１１の間に、セカンドシート１７が介在されている。なお、この吸収体１３としては、嵩を小さくできるエアレイド吸収体を用いてもよい。
【００２７】
吸収体１３の表面側（肌当接面側）を覆う透液性表面シート１１としては、有孔または無孔の不織布や、多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法のうち、スパンレース法による不織布は柔軟性、ドレープ性に富む点で優れ、サーマルボンド法による不織布は嵩高でソフトである点で優れている。
【００２８】
また、透液性表面シート１１に多数の透孔を形成した場合には、尿などが速やかに吸収されるようになり、ドライタッチ性に優れたものとなる。
【００２９】
吸収体１３の裏面側（非肌当接面側）を覆う防漏シート１２は、ポリエチレンまたはポリプロピレンなどの不透液性プラスチックシートが用いられるが、近年ではムレ防止の点から透湿性を有するものが好適に用いられる。この遮水・透湿性シートは、例えば、ポリエチレンやポリプロピレン等のオレフィン樹脂中に無機充填材を溶融混練してシートを形成した後、一軸または二軸方向に延伸することにより得られる微多孔性シートである。微多孔性シートであれば、仮にシート厚が同じである場合に、無孔シートよりも剛性が低下するため、柔軟性の点でも勝るものとなる。
【００３０】
かかる防漏シート１２としては、排便や尿などの褐色が視認しにくいように不透明なものを用いることが好ましい。防漏シート１２の不透明化としては、オレフィン樹脂やプラスチック中に、炭酸カルシウム、酸化チタン、酸化亜鉛、ホワイトカーボン、クレイ、タルク、硫酸バリウムなどの顔料や充填材を添加してフィルム化したものが好適に使用される。
【００３１】
立体ギャザーＢＳは、折り返しによって二重にされたギャザー不織布１５と、折り返されたギャザー不織布１５に挟まれる防水シート１８とにより形成されており、ギャザー不織布１５は、透液性表面シート１１によって巻き込まれた吸収体１３の側縁部をさらにその上から巻き込んで吸収体１３の裏面側まで延在して接着されている。より具体的には、ギャザー不織布１５は、紙おむつ１（吸収性本体１０）の長手方向中間部では、立体ギャザーＢＳ形成部分を残し、幅方向中間部から吸収体１３の裏面側に亘る範囲がホットメルト接着剤等によって接着され、また、長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着されている。
【００３２】
また、二重に折り返されたギャザー不織布１５の内部には、ギャザーの起立先端側に複数本の糸状弾性伸縮部材１６…が配設されている。糸状弾性伸縮部材１６…は、弾性伸縮力によりギャザー不織布１５を起立させて立体ギャザーＢＳとするためのものである。
【００３３】
糸状弾性伸縮部材１６としては、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。この糸状弾性伸縮部材１６は、太さ３００〜１２００ｄｔｅｘ、テンション１５０〜３５０％として配設することが好ましい。なお、糸状弾性伸縮部材に代えて、ある程度の幅を有するテープ状弾性伸縮部材を用いるようにしてもよい。
【００３４】
また、ギャザー不織布１５を構成する素材繊維は、透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができるが、特に、ムレを防止するために秤量を抑えて通気性に優れた不織布を用いることが好ましい。さらに、ギャザー不織布１５については、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００３５】
（外装シート）
外装シート２０は、図１〜図３に示すように、上層不織布２０Ａ及び下層不織布２０Ｂとからなる２層構造の不織布シートであり、上層不織布２０Ａと下層不織布２０Ｂとの間に後述する各種弾性部材が配設されて、伸縮性が付与されるようになっている。
【００３６】
そして、外装シート２０は、その中間両側部にそれぞれレッグ開口部Ｌを設けるための凹状の脚周りカットライン２９が形成された、紙おむつ１の着用者の股下周囲を覆う股下部２０ｃと、股下部２０ｃの前端側に位置し着用者の腹部を覆う前身頃Ｆと、股下部２０ｃの後端側に位置し着用者の背部を覆う後身頃Ｂと、を有しており、その平面形状は全体として擬似砂時計形状を成している。
【００３７】
なお、前身頃Ｆには、後身頃Ｂと接合するための接合端部２１が形成されており、後身頃Ｂには、前身頃Ｆと接合するための接合端部２２が形成されている。
【００３８】
接合端部２１、接合端部２２は、それぞれ前身頃Ｆと後身頃Ｂにおいて、ウエスト開口部Ｗの開口端部側から脚周りカットライン２９を有するレッグ開口部Ｌに亘る、上下方向の幅を有している。
【００３９】
この外装シート２０は、前身頃Ｆ及び後身頃Ｂのそれぞれにおいて、ウエスト開口部Ｗの開口端部側（上側）に配置される複数のウエスト弾性部材２４・・・と、前身頃Ｆ及び後身頃Ｂのそれぞれにおいて、ウエスト開口部Ｗの開口端部側から股下部２０ｃに向かう上下方向に間隔をおいて互いに略平行に配設された複数の腰周り弾性部材２５、２５…と、前身頃Ｆにおいて、一方の接合端部２１から股下部２０ｃ側に延び、その股下部２０ｃを迂回するようにして他方の接合端部２１に亘るように配設された複数の湾曲弾性部材２６、２６…と、後身頃Ｂにおいて、一方の接合端部２２から股下部２０ｃ側に延び、その股下部２０ｃを迂回するようにして他方の接合端部２２に亘るように配設された複数の湾曲弾性部材２８、２８…とを備えている。
【００４０】
ウエスト弾性部材２４は、前身頃Ｆと後身頃Ｂとが接合される接合端部２１、接合端部２２の上下方向の幅である範囲のうち、ウエスト開口部Ｗの近傍において上下方向に間隔をおいて配設された複数条の糸ゴム状弾性部材であり、身体のウエスト部周りを締め付けるように伸縮力を付与し、紙おむつ１を身体に装着するためのものである。なお、ウエスト弾性部材２４は、糸ゴム状弾性部材に限らず、テープ状弾性部材を用いてもよい。
【００４１】
腰周り弾性部材２５は、前身頃Ｆと後身頃Ｂとが接合される接合端部２１、接合端部２２のうち、概ね上下方向の幅である範囲に亘り、上下方向に間隔をおいて互いに略平行に配設された複数条の糸ゴム状の弾性伸縮部材であり、前身頃Ｆ及び後身頃Ｂの腰周り部分を締め付けるように伸縮力を付与し、紙おむつ１を身体に密着させるためのものである。
【００４２】
この複数の腰周り弾性部材２５、２５…は、外装シート２０に所定の幅、範囲に亘って配設されることにより、所定の幅を有する腰周り弾性帯２５ａとして機能し、前身頃Ｆや後身頃Ｂの全面を身体により密着させるようになっている。
【００４３】
なお、腰周り弾性部材２５とウエスト弾性部材２４との境界は必ずしも明確でなくてよい。例えば、前身頃Ｆ及び後身頃Ｂに上下方向に間隔をおいて互いに略平行に配設された複数本の弾性部材のうち、上側の何本かの弾性部材がウエスト弾性部材として機能し、残りの下側の弾性部材が腰周り弾性部材として機能すればよい。
【００４４】
湾曲弾性部材２６は、前身頃Ｆにおいて、腰周り弾性部材２５とは別に配設された複数本、具体的には少なくとも４本以上、好ましくは６本以上、より好ましくは８本以上（本実施の形態においては９本）配置された糸ゴム状の弾性伸縮部材である。
【００４５】
この複数の湾曲弾性部材２６、２６…は、外装シート２０に所定の幅、範囲に亘って配設されることにより、所定の幅を有する湾曲弾性帯２６ａとして機能する。
【００４６】
湾曲弾性帯２６ａは、前身頃Ｆの一方の接合端部２１から、ほぼ脚周りカットライン２９に沿うように股下部２０ｃ側に延び、その股下部２０ｃを迂回するようにして、他方側の脚周りカットライン２９にほぼ沿いながら他方の接合端部２１に到達するように配設されている。
【００４７】
そして、湾曲弾性帯２６ａは、外装シート２０における、外装シート２０の縁部である脚周りカットライン２９と、吸収性本体１０と、腰周り弾性帯２５ａと、に囲まれる略三角形領域Ｔｒｆのほぼ全体を覆うように形成されている。ここで、湾曲弾性帯２６ａが略三角形領域Ｔｒｆのほぼ全体を覆うとは、領域全体に余すことなく密に配置されるという意味ではなく、従来のパンツ型使い捨ておむつ全般と比較して、上記三角形領域Ｔｒｆにおける湾曲弾性部材２６の配設本数が多く、かつその配設領域割合が大であるという意味である。
【００４８】
前記略三角形領域Ｔｒｆにおいては、図４に示されるように、湾曲弾性部材２６の間隔Ｐは、２０mm以下、好ましくは１５mm以下、より好ましくは９mm以下とするのが望ましい。そして、湾曲弾性帯２６ａを構成する湾曲弾性部材２６、２６…の内、最もレッグ開口部Ｌに近い湾曲弾性部材２６Ｏから法線方向に少なくとも３０mm以上、好ましくは５０mm以上の範囲ＦＺに亘り、湾曲弾性帯２６が形成されているのが望ましく、かつ前記略三角形領域Ｔｒｆにおいて、湾曲弾性帯２６ａの領域（図示の斜線領域）が占める面積率が７０％以上であることが望ましい。
【００４９】
なお、湾曲弾性帯２６ａの始終端部は、前身頃Ｆの接合端部２１のうち上下方向の幅であるほぼ全範囲に亘って配設されており、特に、腰周り弾性帯２５ａの始終端部が配設されている前身頃Ｆの接合端部２１の幅方向の範囲とほぼ同じ範囲に配設されている。
【００５０】
また、湾曲弾性帯２６ａ（湾曲弾性部材２６）は、股下部２０ｃにおいて迂回する際に、弧状曲線形状に湾曲するように方向転換されていることが好ましい。弾性部材では接線方向に伸縮力が作用するので、股下部２０ｃにおいて湾曲弾性部材２６を弧状曲線形状に反転させることにより、吸収性本体１０の幅方向に作用する力を極小化することができ、股下部２０ｃにおける吸収性本体１０の縮こまりを低減することができるようになる。
【００５１】
一方、湾曲弾性部材２８は、後身頃Ｂにおいて、腰周り弾性部材２５とは別に配設された複数本、具体的には前身頃Ｆと同様に、具体的には少なくとも４本以上、好ましくは６本以上、より好ましくは８本以上（本実施の形態においては９本）配置された糸ゴム状の弾性伸縮部材である。
【００５２】
この複数の湾曲弾性部材２８、２８…は、外装シート２０に所定の幅、範囲に亘って配設されることにより、所定の幅を有する湾曲弾性帯２８ａとして機能する。
【００５３】
湾曲弾性帯２８ａは、後身頃Ｂの一方の接合端部２２から、ほぼ脚周りカットライン２９に沿うように股下部２０ｃ側に延び、その股下部２０ｃを迂回するようにして、他方側の脚周りカットライン２９にほぼ沿いながら他方の接合端部２２に到達するように配設されている。
【００５４】
そして、湾曲弾性帯２８ａは、外装シート２０における、外装シート２０の縁部である脚周りカットライン２９と、吸収性本体１０と、腰周り弾性帯２５ａとに囲まれる略三角形領域Ｔｒｂのほぼ全体を覆うように形成されている。ここで、湾曲弾性帯２８ａが略三角形領域Ｔｒｂのほぼ全体を覆うとは、領域全体に余すことなく密に配置されるという意味ではなく、従来のパンツ型使い捨ておむつ全般と比較して、上記三角形領域Ｔｒｂにおける湾曲弾性部材２８の配設本数が多く、かつその配設領域割合が大であるという意味である。
【００５５】
前記略三角形領域Ｔｒｂにおいては、図５に示されるように、湾曲弾性部材２８の間隔Ｐは、２０mm以下、好ましくは１５mm以下、より好ましくは９mm以下とするのが望ましい。そして、湾曲弾性帯２８ａを構成する湾曲弾性部材２８、２８…の内、最もレッグ開口部Ｌに近い湾曲弾性部材２８Ｏから法線方向に少なくとも３０mm以上、好ましくは５０mm以上の範囲ＢＺに亘り、湾曲弾性帯２８が形成されているのが望ましく、かつ前記略三角形領域Ｔｒｂにおいて、湾曲弾性帯２８ａの領域（図示の斜線領域）が占める面積率が７０％以上であることが望ましい。しかし、後身頃Ｂの略三角形領域Ｔｒｂは、おむつ装着に当たりレッグ開口部Ｌに足を通す際、足踵側となるため、場合によっては前記面積率は７０％を下回ってもよいが、面積率は５０％以上であることが望ましい。
【００５６】
なお、湾曲弾性帯２８ａの始終端部は、後身頃Ｂの接合端部２２のうち上下方向の幅であるほぼ全範囲に亘って配設されており、特に、腰周り弾性帯２５ａの始終端部が配設されている後身頃Ｂの接合端部２２の幅方向の範囲とほぼ同じ範囲に配設されている。
【００５７】
また、湾曲弾性帯２８ａ（湾曲弾性部材２８）は、股下部２０ｃにおいて迂回する際に、弧状曲線形状に湾曲するように方向転換されていることが好ましい。弾性部材では接線方向に伸縮力が作用するので、股下部２０ｃにおいて湾曲弾性部材２８を弧状曲線形状に反転させることにより、吸収性本体１０の幅方向に作用する力を極小化することができ、股下部２０ｃにおける吸収性本体１０の縮こまりを低減することができるようになる。
【００５８】
このように、紙おむつ１の外装シート２０において、略三角形領域Ｔｒｆは湾曲弾性帯２６ａに覆われ、略三角形領域Ｔｒｂは湾曲弾性帯２８ａに覆われているので、略三角形領域Ｔｒｆ及び略三角形領域Ｔｒｂのほぼ全体が、ほぼ均一にそれぞれ湾曲弾性帯２６ａ及び湾曲弾性帯２８ａにより収縮されることとなり、それら略三角形領域Ｔｒｆ、Ｔｒｂの内側が膨らんでしまい、ポケット様の空間が形成されてしまうことはない。紙おむつ１の内側に着用の妨げになるポケット様の空間が無ければ、着用者が紙おむつ１を脱ぎ穿きする際に、その内側に足指や踵が引っ掛かりにくくなるので、紙おむつ１を着用しやすくなる。
【００５９】
また、紙おむつ１の外装シート２０における略三角形領域Ｔｒｆと略三角形領域Ｔｒｂは、それぞれ湾曲弾性帯２６ａと湾曲弾性帯２８ａにより覆われて収縮されているので、身体の凹凸や膨らみなどの形状に対応して、外装シート２０をフィットさせるように伸縮することができる。
【００６０】
つまり、紙おむつ１の前身頃Ｆ側においては、身体の排尿口周囲に外装シート２０や吸収性本体１０を密着させることができ、また、紙おむつ１の後身頃Ｂ側においては、臀部に外装シート２０を密着させることができるようになる。その結果、紙おむつ１（吸収性本体１０）をより確実に身体に密着させて、尿などの体液漏れを防止することが可能になる。
【００６１】
また、紙おむつ１は、湾曲弾性帯２６ａ、湾曲弾性帯２８ａ（湾曲弾性部材２６、湾曲弾性部材２８）とは別に、腰周り弾性帯２５ａ（腰周り弾性部材２５）を備えているので、紙おむつ１を腰周りに安定して装着することができ、紙おむつ１がずり落ちにくくなる。
【００６２】
また、湾曲弾性帯２６ａと湾曲弾性帯２８ａの始終端部は、腰周り弾性帯２５ａの始終端部が配設されている前身頃Ｆの接合端部２１と後身頃Ｂの接合端部２２の幅方向の範囲とほぼ同じ範囲に配設されているので、着用者が紙おむつ１を着用する際に、前身頃Ｆや後身頃Ｂを掴んで引き上げる際の作用力が湾曲弾性帯２６ａや湾曲弾性帯２８ａに伝わり、股下部２０ｃを容易に引き上げることができ、紙おむつ１の股下部２０ｃを身体の股下周囲に好適に装着することができる。特に、湾曲弾性帯２６ａと湾曲弾性帯２８ａは、幅広く弾性部材が配設されている帯状の領域を形成していることにより、前身頃Ｆや後身頃Ｂを掴んで引き上げる際の作用力が湾曲弾性帯２６ａや湾曲弾性帯２８ａに伝わりやすいので、より軽い力でも紙おむつ１を引き上げることができる。よって、高齢者のように腕力が弱い着用者であっても、好適に紙おむつ１を着用することができる。
【００６３】
また、前身頃Ｆと後身頃Ｂとは接合端部２１、２２により接合されていることによって、前身頃Ｆに作用した作用力が後身頃Ｂを介して湾曲弾性帯２８ａに伝わり、後身頃Ｂに作用した作用力が前身頃Ｆを介して湾曲弾性帯２６ａに伝わるようになっている。
【００６４】
そして、例えば、着用者が片手で前身頃Ｆを掴んで紙おむつ１を引き上げるような場合でも、図８に示すように、前身頃Ｆに作用した作用力が接合端部２１、２２を介して後身頃Ｂの湾曲弾性帯２８ａに伝わり、後身頃Ｂが好適に臀部を覆うように引き上げることができ、紙おむつ１を腰周りに良好に着用することができるようになっている。特に、湾曲弾性帯２８ａは股下部２０ｃ側に湾曲しているため、股下部２０ｃ側の吸収性本体１０を臀部側に引き上げるように、より確実に臀部に密着させて、尿などの体液漏れを防止することが可能になる。
【００６５】
また、紙おむつ１は、腰周りにフィットするように引き上げやすいので、不完全な状態で着用されてしまうことを低減することができる。それによって、体液漏れや、装着感の悪さや装着時の見た目の悪さ、身体が圧迫されたことなどによる血流障害や、身体が擦られたことなどによる肌荒れなどのスキントラブル等の問題を軽減することができる。
【００６６】
このように、紙おむつ１は、好適に着用することができるパンツ型使い捨ておむつであるといえる。
【００６７】
また、上記実施の形態においては、前身頃Ｆ及び後身頃Ｂに配置された腰周り弾性帯２５ａ（腰周り弾性部材２５）や湾曲弾性帯２６ａ、湾曲弾性帯２８ａ（湾曲弾性部材２６、湾曲弾性部材２８）は、吸収性本体１０特に吸収体１３と重なる範囲においても連続させて配置するようにしたが、図９に示すように、吸収性本体１０（吸収体１３）を横切るように重なる弾性部材を切断し、不連続とするようにしてもよい。弾性部材を吸収性本体１０（吸収体１３）上で不連続とすることにより、吸収性本体１０（吸収体１３）の縮こまりを防止することができる。
【００６８】
なお、弾性部材の不連続化は、例えば、各種弾性部材を外装シート２０に配置した後、エンボスカッターロールとアンビルカッターロールとの間にその外装シートを通過させることにより、エンボスカッターロールによる加圧または加熱によって、所定範囲内に存在する弾性部材を細かく切断することにより行うことができる。なお、弾性部材は、吸収体１３（または吸収性本体１０）の端部から１０ｍｍ以上内側で切断することが好ましい。
【００６９】
また、上記実施の形態において、湾曲弾性帯２６ａや湾曲弾性帯２８ａが、略三角形領域Ｔｒｆ、Ｔｒｂのほぼ全体を覆うとしたことは、湾曲弾性帯２６ａや湾曲弾性帯２８ａが、略三角形領域Ｔｒｆ、Ｔｒｂの全体を完全に覆い、紙おむつ１の内側に着用の妨げになるポケット様の空間を全く作らないということに限らず、着用の妨げにならない大きさであるポケット様の空間であれば、形成されても構わないということである。
【００７０】
なお、以上の実施の形態においては、前身頃Ｆ側に配設された湾曲弾性帯２６ａと、後身頃Ｂ側に配設された湾曲弾性帯２８ａとは、股下部２０ｃにおいて、互いに交差することなく近接している状態を図示して説明したが、本発明はこれに限定されるものではなく、湾曲弾性帯２６ａと湾曲弾性帯２８ａとはその一部が交差していてもよい。
【００７１】
また、紙おむつ１において、前身頃Ｆ側に配設される湾曲弾性帯２６ａと、後身頃Ｂ側に配設される湾曲弾性帯２８ａとをともに備えることに本発明は限定されず、少なくとも一方の湾曲弾性帯が備えられる構成であればよい。
【００７２】
また、その他、具体的な細部構造等についても適宜に変更可能であることは勿論である。
【００７３】
〔穿き易さ向上のための処理〕
ところで、上記パンツ型使い捨ておむつにおいては、装着にあたり、レッグ開口部Ｌに足を通しやすくするための処理が施されている。具体的には、図３において斜線領域として示されるように、外装シート２０の肌当接面側であって、かつ前記レッグ開口部Ｌ周りに滑剤を塗布してある。前記滑剤としては、例えば四フッ化エチレン樹脂、三フッ化塩化エチレン樹脂、六フッ化エチレンプロピレン樹脂に代表されるフッ素系樹脂、或いはパラフィンワックス等の鉱物系ワックス、ポリエチレンワックス等の合成ワックス、動物性又は植物性のワックス類などを好適に使用することができる。
【００７４】
前記滑剤の塗布領域は、本例では外装シート２０の縁部である脚周りカットライン２９と、吸収性本体１０と、腰周り弾性帯２５ａとに囲まれる略三角形領域Ｔｒｆ及び外装シート２０の縁部である脚周りカットライン２９と、吸収性本体１０と、腰周り弾性帯２５ａとに囲まれる略三角形領域Ｔｒｂとの領域としたが塗布領域は任意に設定することが可能である。例えば、前記略三角形領域Ｔｒｆ及び略三角形領域Ｔｒｂの一方側にのみ塗布するようにしてもよいし、脚周りカットライン２９に沿うように所定幅で塗布するようにしてもよい。
【００７５】
前記滑剤は塗布することにより滑り性を与える他、外装シート２０を構成する２枚の不織布２０Ａ、２０Ｂの内、肌当接面側となる上層不織布２０Ａの繊維中に内添、すなわち繊維中に混入することも可能である。また、本発明ではレッグ開口部Ｌ周りに滑剤を塗布するようにしたが、立体ギャザーＢＳや表面シート１１に対しても滑剤を塗布するようにしてもよい。
【００７６】
さらに別の態様としては、外装シート２０を構成する２枚の不織布２０Ａ、２０Ｂの内、肌当接面側となる上層不織布２０Ａの表面に対して低摩擦化加工処理を施すことにより滑り性を与えることもできる。前記低摩擦化加工処理は、不織布表面に圧力を加えることにより不織布表面に毛羽立つ繊維を不織布表面に寝かせるように押さえ付ける方法で行う。不織布表面に圧力を加える方法としては、不織布をローラーの間に挟み込んで表裏両面から圧力を加える方法が挙げられる。また、板等の二つの面で不織布を挟む等により行うこともできる。また、これらの加圧時に熱を加えるようにしてもよい。この低摩擦化加工処理により、不織布表面は毛羽立ちが押さえられて滑らかとなり摩擦係数が小さくなる。なお、低摩擦化加工処理としては毛羽立った繊維をカットして滑らかにする方法であってもよい。前記低摩擦化加工処理により不織布表面の摩擦抵抗としては、摩擦係数の平均偏差（MMD値）において、MD(Machine Direction)は0.01〜0.50、CD(Cross Direction)は0.01〜0.70であることが望ましい。
【図面の簡単な説明】
【００７７】
【図１】本発明に係るパンツ型使い捨ておむつの製品状態外観図である。
【図２】紙おむつの展開状態での組み立て図である。
【図３】外装シートの展開図である。
【図４】前身頃Ｆの略三角形領域Ｔｒｆの要部拡大図である。
【図５】後身頃Ｂの略三角形領域Ｔｒｂの要部拡大図である。
【図６】吸収性本体の平面図である。
【図７】図３のV−V線における断面図である。
【図８】本発明に係るパンツ型使い捨ておむつの着用時の状態を示す説明図である。
【図９】パンツ型使い捨ておむつの変形例を示す平面図である。
【図１０】従来の使い捨ておむつを示す説明図である。
【図１１】従来の使い捨ておむつを示す説明図である。
【図１２】従来のパンツ型使い捨ておむつの着用時の状態を示す説明図である。
【符号の説明】
【００７８】
１…紙おむつ（パンツ型使い捨ておむつ）、１０…吸収性本体、１３…吸収体、２０…外装シート、２０ｃ…股下部、２１…接合端部、２２…接合端部、２４…ウエスト弾性部材、２５…腰周り弾性部材、２５ａ…腰周り弾性帯、２６…湾曲弾性部材、２６ａ…湾曲弾性帯、２８…湾曲弾性部材、２８ａ…湾曲弾性帯、２９…脚周りカットライン、Ｆ…前身頃、Ｂ…後身頃、Ｌ…レッグ開口部、Ｗ…ウエスト開口部、Ｔｒｆ…略三角形領域（領域）、Ｔｒｂ…略三角形領域（領域）
【図１】
0004652865.tif 000002
【図２】
0004652865.tif 000003
【図３】
0004652865.tif 000004
【図４】
0004652865.tif 000005
【図５】
0004652865.tif 000006
【図６】
0004652865.tif 000007
【図７】
0004652865.tif 000008
【図８】
0004652865.tif 000009
【図９】
0004652865.tif 000010
【図１０】
0004652865.tif 000011
【図１１】
0004652865.tif 000012
【図１２】
0004652865.tif 000013